(57)【要約】【課題】ガス絶縁スイッチギヤにおいて、更なる機器構成の簡潔化を達成するものである。【解決手段】遮断機器要素と、第１の開閉機器要素と、第２の開閉機器要素とを多段配置にて絶縁性ガスが封入された導電性容器内に収納したガス絶縁スイッチギヤにおいて、避雷器を前記第２の開閉機器要素の下段であって接地開閉器および避雷器切離し装置と同一直線上に配置したものである。【選択図】図１
2011234463.tif 000002
【特許請求の範囲】
【請求項１】
それぞれ水平方向に延在した状態で多相構成として並設される各相ユニットからなる遮断機器要素と、それぞれ水平方向に延在した状態で前記遮断機器要素の上段において多相構成として並設される各相ユニットからなる第１の開閉機器要素と、それぞれ水平方向に延在した状態で前記遮断機器要素の下段において多相構成として並設される各相ユニットからなる第２の開閉機器要素とを多段配置にて絶縁性ガスが封入された導電性容器内に収納したガス絶縁スイッチギヤにおいて、前記第２の開閉機器要素の下段に避雷器を接地開閉器および避雷器切離し装置と同一直線上に配置したことを特徴とするガス絶縁スイッチギヤ。
【請求項２】
避雷器を接地開閉器および避雷器切離し装置と同一直線上に配置するに当たって、避雷器を上記スイッチギアの本体内部に設置された避雷器切離し装置に弾性接触子を介して外部から着脱可能に取り付けるようにしたことを特徴とする請求項１に記載のガス絶縁スイッチギヤ。
【請求項３】
弾性接触子は避雷器切離し装置の凹部に取り付けられた皿バネであることを特徴とする請求項２に記載のガス絶縁スイッチギヤ。
【請求項４】
弾性接触子は避雷器切離し装置の凹部に取り付けられたコイルバネであることを特徴とする請求項２に記載のガス絶縁スイッチギヤ。
【請求項５】
弾性接触子は避雷器の円環状部分外周あるいは避雷器切離し装置の凹部の円環状部分内周に取り付けられたリング状バネであることを特徴とする請求項２に記載のガス絶縁スイッチギヤ。
【発明の詳細な説明】
【技術分野】
【０００１】
この発明は、電力の送配電および受電設備などに用いられるガス絶縁スイッチギヤの構造に関する。
【背景技術】
【０００２】
これまで、遮断機能を具備する遮断機器要素と、断路機能および接地機能の少なくとも一方を具備する開閉機器要素とを、絶縁性ガスが封入された導電性容器に収納したガス絶縁スイッチギヤが広く知られている。このような従来のガス絶縁スイッチギヤでは遮断機器要素としての真空スイッチと、開閉機器要素としての断路器とを、絶縁性ガスが封入された導電性容器内に水平方向に延在した状態で所定の上下関係に配設した構成のものが提案されている（例えば特許文献１を参照）。
【０００３】
しかしながら、上記特許文献１に示されるような従来のガス絶縁スイッチギヤにおいては、避雷器の配置位置が避雷器切離し装置の下部にあったり、更に母線の配置位置が断路器の上部にあったりして、上下方向の機器の配置が多く、このためガス絶縁スイッチギヤの高さ方向の寸法が増大する問題点があり、機器構成における簡潔化が徹底されているとは言い難い状態であった。
【先行技術文献】
【特許文献】
【０００４】
【特許文献１】特開２００７−２８７７６号公報
【発明の概要】
【発明が解決しようとする課題】
【０００５】
この発明は、絶縁性ガスが封入された導電性容器に水平方向に延在した状態で収納された遮断機器要素および複数の開閉機器要素を所定の上下関係で配設するものにおいて、避雷器を接地開閉器や避雷器切離し装置と同一直線上に配置することにより、更なる機器構成の簡潔化を達成できるガス絶縁スイッチギヤを提供しようとするものである。
【課題を解決するための手段】
【０００６】
この発明に係るガス絶縁スイッチギヤでは、それぞれ水平方向に延在した状態で多相構成として並設される各相ユニットからなる遮断機器要素と、それぞれ水平方向に延在した状態で前記遮断機器要素の上段において多相構成として並設される各相ユニットからなる第１の開閉機器要素と、それぞれ水平方向に延在した状態で前記遮断機器要素の下段において多相構成として並設される各相ユニットからなる第２の開閉機器要素とを多段配置にて絶縁性ガスが封入された導電性容器内に収納したガス絶縁スイッチギヤにおいて、前記第２の開閉機器要素の下段に避雷器を接地開閉器および避雷器切離し装置と同一直線上に配置することを特徴とするものである。
【発明の効果】
【０００７】
この発明のガス絶縁スイッチギヤによれば、避雷器を接地開閉器および避雷器切離し装置と同一直線上に配置することにより、高さ方向スペースを縮小してスイッチギヤ構成の更なるコンパクト化を達成できるものである。また、避雷器切り離し装置を接地開閉器と分けて設ける必要がなく１ユニットで構成可能となるため、操作機構を簡略化できる効果を有する。
【図面の簡単な説明】
【０００８】
【図１】本発明の実施の形態１に係るガス絶縁スイッチギヤの構成を示す側断面図である。
【図２】図１のガス絶縁スイッチギヤの最下段に設置される避雷器の取り付け構造を示す部分拡大図である。
【図３】本発明の実施の形態２に係る避雷器の取り付け構造の変形例を示す部分拡大図である。
【図４】本発明の実施の形態３に係る避雷器の取り付け構造の他の変形例を示す部分拡大図である。
【発明を実施するための形態】
【０００９】
実施の形態１．
以下、この発明による実施の形態を説明する。図１は実施の形態１におけるガス絶縁スイッチギヤの右側断面図である。
図1において、ガス絶縁スイッチギヤ本体１内には、金属製の２つの密閉容器２、３が収納されており、上側密閉容器２には母線４に接続される断路器５および接地開閉器６が収納されている。上記水平方向に延在する断路器５と接地開閉器６は、図示していないがガス絶縁スイッチギヤ本体１の幅方向（紙面の奥行き方向）に所定の間隔を置いて並設された３相分の多相ユニットにより構成される。７は上記断路器５および接地開閉器６との操作機構部である。
【００１０】
また、下側密閉容器３には遮断機器要素および複数の開閉機器要素を所定の上下関係で配設した構成となっており、ここでは遮断器８を上段に、断路器９と接地開閉器１０との水平配置を中段に、避雷器１１と接地開閉器１２および避雷器切離し装置１３との水平配置を下段に配置した3段構成となっている。それぞれの水平配置は上述と同様にガス絶縁スイッチギヤ本体１の幅方向（紙面の奥行き方向）に所定の間隔を置いて並設された３相分の多相ユニットにより構成される。
【００１１】
１４は遮断器８の操作機構部を、１５は断路器９と接地開閉器１０の操作機構部を、１６は避雷器１１と接地開閉器１２および避雷器切離し装置１３の操作機構部である。なお、上記２つの密閉容器２、３にはそれぞれ絶縁性ガスが封入されており、上記断路器５、９はいずれも直動式断路器を使用するものとする。上記２つの密閉容器２、３の対向部にガス区分スペーサ１９を配置し、この中にケーブルが密封されている。また２０は上記ガス区分スペーサ１９と遮断器８とを、２１は遮断器８と断路器９とを、２２は断路器
９と接地開閉器１２とをそれぞれ接続する接続導体である。
【００１２】
このような構成において、電力は電力ケーブル１７より入力され、ケーブルヘッド１８を介して下側密閉容器３の内部に送られ、断路器９にて分岐され、その一方は遮断器８を通り上側密閉容器２に送られ、上側密閉容器２の内部では断路器５を介して母線４に送られる。また、断路器９にて分岐された他方は接続導体２２を介して接地開閉器１２および避雷器切離し装置１３が接続されており、この接地開閉器１２と避雷器切離し装置１３は避雷器１１と共に直線状に水平配置されている。
【００１３】
以上のようにこの発明によれば、避雷器１１を接地開閉器１２および避雷器切離し装置１３と同一直線上に配置する構成とすることにより、特許文献１に記載した従来のガス絶縁スイッチギヤのように、避雷器の配置のための高さ方向スペースの必要がなく、高さ方向にコンパクトなスイッチギヤを実現できる。また接地開閉器と避雷器切り離し装置の操作機構を共通とすることが可能となるので、操作機構の数を減少して構成の簡略化を促進することができる。
【００１４】
以下、図２は避雷器を接地開閉器および避雷器切離し装置と同一直線上に配置するための構成例を説明する部分拡大断面図であり、（Ａ）（Ｂ）は避雷器の設置前後の状態を示している。図中、下側密閉容器３は避雷器１１の設置部分に孔部３aを有している。避雷器１１はその一端に避雷器切離し装置１３との接触端子２４を有し、他端に取手３０を有する取付板２５を備えた構造となっており、避雷器切離し装置１３の凹部１３aには皿バネからなる接触子２６が取り付けられている。
【００１５】
図２（Ａ）に示すように避雷器の設置に当っては、上記密閉容器３の外部から孔部３aを通して容器内に挿入する。図２（Ｂ）は避雷器の設置後の状態を示し、避雷器１１は、避雷器切離し装置１３の凹部13aに皿バネ２６を押圧するように挿入され、その状態で取付板２５を下側密閉容器３にネジ等の適当な手段（図示していない）で固定される。
このように避雷器１１を皿バネ２６等の弾性接触子を介して簡単に取り付けあるいは取り外しができ、しかも避雷器と避雷器切離し装置との間に取り付け公差が存在しても問題なく取り付けることができる。
【００１６】
実施の形態２．
図３は本発明の実施の形態２に係る避雷器の取り付け構造の変形例を示す部分拡大図であり、（Ａ）（Ｂ）は避雷器の設置前後の状態を示している。図中、図２と同一符号は同一または相当部分を示している。図３において図２と異なるところは、図２の皿バネ２６に替えてコイルバネ２７を採用した点である。コイルバネ２７は避雷器切離し装置１３の凹部13aに取り付けられており、避雷器１１はこれを押圧するように挿入される。このように構成しても実施の形態１と同様の効果を有する。
【００１７】
実施の形態３．
図４は本発明の実施の形態３に係る避雷器の取り付け構造の他の変形例を示す部分拡大図であり、（Ａ）（Ｂ）は避雷器の設置前後の状態を示している。図中、図２と同一符号は同一または相当部分を示している。図４において図２と異なるところは、図２の皿バネ２６に替えてリング状バネ２８を採用した点である。リング状バネ２８は接触端子２４の円環状部分外周にリング状の溝を設け、その溝部に嵌め込むように固定されている。上記溝部は避雷器切離し装置１３の凹部13aの円環状部分内周に形成してもよいことはもちろんである。
【００１８】
以上のようにこの発明の実施形態によれば、避雷器を接地開閉器および避雷器切離し装置と同一直線上に配置することができるので、高さ方向スペースを縮小してスイッチギヤ
構成の更なるコンパクト化を達成できるものである。
また、避雷器１１を皿バネ２６、コイルバネ２７等の弾性接触子を介して外部から取り付けあるいは取り外しができるようにしたので、避雷器１１と接地開閉器１２および避雷器切離し装置１３との同一直線上配置が簡単となり、しかも避雷器と避雷器切離し装置との間に取り付け公差が存在しても問題なく取り付けることができる効果を有する。
【符号の説明】
【００１９】
１    スイッチギア本体、    ２    上側密閉容器、    ３    下側密閉容器、
４    母線、    ５、９    断路器、    ６、１０、１２、１６    接地開閉器、
７、１４、１５、１６    操作機構部、    ８    遮断器、    １１    避雷器、
１３    避雷器切離し装置、    １７    電力ケーブル、    １８    ケーブルヘッド、
２４    接触端子、    ２５    取付板、    ２６    皿バネ、
２７    コイルバネ、  ２８    リング状バネ、    ３０    取手。
【図１】
2011234463.tif 000003
【図２】
2011234463.tif 000004
【図３】
2011234463.tif 000005
【図４】
2011234463.tif 000006